(57)【要約】【課題】比較的簡単な構成で多様な真偽判定が可能であるとともに、センサー構成の分析が行われても真偽判定の仕組みが解りにくく、偽造防止耐性が高い偽造防止表示体、およびその検証装置を提供すること。【解決手段】可視光域の一部および近赤外光域を反射する基材上に、蛍光インキのパターンと有色インキのパターンをこの順に備えた偽造防止表示体であって、蛍光インキは、紫外光域、可視光域、近赤外光域のいずれかの波長領域に少なくとも２つ以上の励起ピーク波長を持ち、有色インキは、可視光域または近赤外光域の一部の波長の光を吸収し、それ以外の可視光域または近赤外光域の光を透過し、有色インキが光を透過する可視光域または近赤外光域に、蛍光インキの少なくとも１つの励起ピーク波長が含まれることを特徴とする偽造防止表示体とする。【選択図】図１
2018012217.tif 000002
【特許請求の範囲】
【請求項１】
可視光域の一部および近赤外光域を反射する基材上に、蛍光インキのパターンと有色インキのパターンをこの順に備えた偽造防止表示体であって、
前記蛍光インキは、紫外光域、可視光域、近赤外光域のいずれかの波長領域に少なくとも２つ以上の励起ピーク波長を持ち、
前記有色インキは、可視光域または近赤外光域の一部の波長の光を吸収し、それ以外の可視光域または近赤外光域の光を透過し、
前記有色インキが光を透過する可視光域または近赤外光域に、前記蛍光インキの少なくとも１つの励起ピーク波長が含まれることを特徴とする偽造防止表示体。
ここで、前記紫外光域、前記可視光域、前記近赤外光域の波長は、それぞれ３８０ｎｍ以下、３８０〜７００ｎｍ、７００〜１５００ｎｍとする。
【請求項２】
前記有色インキは、前記可視光域の全域の光を吸収し、かつ前記近赤外光域の一部の波長の光を吸収し、それ以外の近赤外光域の光を透過することを特徴とする請求項１に記載の偽造防止表示体。
【請求項３】
前記有色インキは少なくとも２種類の異なる有色インキであり、
前記異なる有色インキのパターンは平面視で前記蛍光インキのパターン上での位置が異なり、
前記異なる有色インキがそれぞれ光を透過する可視光域または近赤外光域に、前記蛍光インキの異なる励起ピーク波長が含まれることを特徴とする請求項１、または２のいずれかに記載の偽造防止表示体。
【請求項４】
前記異なる有色インキの目視における色は、略同じ色であることを特徴とする請求項３に記載の偽造防止表示体。
ここで、略同じ色とは、Ｌ＊ａ＊ｂ＊表色系において、Ｌ＊値、ａ＊値、ｂ＊値の差ΔＬ＊、Δａ＊、Δｂ＊がいずれも３．２以下であることを意味する。
【請求項５】
前記蛍光インキのパターンの開口部に、さらに第２の有色インキと第２の蛍光インキをこの順に備えた偽造防止表示体であって、
前記第２の有色インキは、前記第２の蛍光インキの全ての励起ピーク波長の光を吸収することを特徴とする請求項１〜４のいずれか一項に記載の偽造防止表示体。
【請求項６】
請求項１〜５のいずれか一項に記載の偽造防止表示体を検証するための装置であって、少なくとも２種類の波長光源と、カメラと、画像モニターを具備し、
前記少なくとも２種類の波長光源は前記蛍光インキの少なくとも２つ以上の異なる励起ピーク波長の１つずつを含む波長光源であり、
前記少なくとも２種類の波長光源を切り替えて前記偽造防止表示体に照射する機能を備え、
前記カメラには透過波長域が異なる２種類の近赤外線ロングパスフィルターを切り替えて取り付ける機能を備え、
前記画像モニターは、前記偽造防止表示体に照射した前記少なくとも２種類の波長光源の光による反射光と前記蛍光インキからの発光光のいずれかまたは両方が前記異なる２種類の近赤外線ロングパスフィルターを通過した後の光を取り込み、画像を作成する機能を備えることを特徴とする偽造防止表示体検証装置。
【請求項７】
請求項１〜５のいずれか一項に記載の偽造防止表示体を検証するための装置であって、少なくとも２種類の波長光源と、カメラと、画像モニターを具備し、
前記少なくとも２種類の波長光源は前記蛍光インキの少なくとも２つ以上の異なる励起ピ
ーク波長の１つずつを含む波長光源であり、
前記偽造防止表示体の検証部分を暗環境中に設置した状態で、前記少なくとも２種類の波長光源を切り替えて前記偽造防止表示体に照射する機能を備え、
前記画像モニターは、前記偽造防止表示体に照射した前記少なくとも２種類の波長光源の光による反射光と前記蛍光インキからの発光光のいずれかまたは両方を取り込み、画像を作成する機能を備えることを特徴とする偽造防止表示体検証装置。
【発明の詳細な説明】
【技術分野】
【０００１】
本発明は、偽造防止が必要な有価証券類、ラベル、カード等に使用でき、機械検証にて真偽判定を行う偽造防止表示体および偽造防止表示体検証装置に関する。
【背景技術】
【０００２】
従来、紙幣、株券、商品券等の有価証券類の他、クレジットカードやＩＤカード、さらには商品用の封印ラベルやタグ類に至るまで、偽造・複製による不正使用を防止するため、精巧な印刷技術による防止策が施されてきたが、近年の偽造・複製による不正使用の頻発に伴い、精巧な印刷等に加え、特殊なインキによる偽造防止策が施される様になってきた。
【０００３】
例えば紫外光を照射することで可視光域にて発光する蛍光インキ、目視角度によって色や明るさが変わるＯＶＤ（Ｏｐｔｉｃａｌｌｙ  Ｖａｒｉａｂｌｅ  Ｄｅｖｉｃｅ）インキ等を紙面上に印刷することで、カラーコピー等の複写機で簡単に偽造出来ない技術が実施されている。しかしながら最近は、カラーコピーに加えて前記蛍光インキやＯＶＤを模倣した精巧な偽造品が出回ってきている。これらの偽造品は、専門家が見れば容易に正品と判別がつくが、一般人が見ても真贋判定することは難しい。
【０００４】
そこで、目視による真偽判定に加えて、センサーによる機械読み取りにて真偽判定を行う偽造防止策を併用している有価証券類が多い。これは目視による真偽判定が出来ない、例えば自動販売機の紙幣鑑別器などにも有効である。機械読み取りによる偽造防止策としては、目視ではその機能性が見えないが、機能性を検知出来るセンサーに対して反応する材料をインキ中に混入させる方法が一般的である。
【０００５】
例えば、インキ中に磁性粉を混入させた磁気インキは目視では黒色のインキに見えているだけだが、ＭＲ（Ｍａｇｎｅｔｏ  Ｒｅｓｉｓｔｉｖｅ）センサーにて磁性の存在の有無が分かる。また、赤外線とくに近赤外線に着目し、近赤外光域の一部の光を吸収もしくは透過するインキを使用した偽造防止策が知られている。
【０００６】
近赤外光域を利用する方法としては、例えば、プロセスインキの墨インキであるカーボンブラックを主成分とした黒色のインキと近赤外光域に吸収のない黒色インキを組み合わせる方法（特許文献１）、可視光域に特定の吸収がほとんど無く近赤外線域の一部に吸収のあるインキを用いる方法（特許文献２）、さらに近赤外線域の一部に吸収のあるインキを他の墨インキ以外のプロセスインキに混入させる方法等が挙げられる。
【先行技術文献】
【特許文献】
【０００７】
【特許文献１】特開２００９−１０８３２４号公報
【特許文献２】特許第４３１４８１１号公報
【発明の概要】
【発明が解決しようとする課題】
【０００８】
近年様々なものが自動化された事により、従来自動販売機等の大型機器にのみ採用されてきた機械読み取り式の真偽判定センサーが、コンシューマー向けの機器にも採用され始めている。機械読み取り式の偽造防止表示体は、それ自身は目視による判別が困難で仕組みが解りにくくなっているが、真偽判定装置とセットで分析された場合、使用しているセンサーを分析すれば仕組みがわかってしまう可能性がある。
【０００９】
本発明は、上記課題に鑑みてなされたものであって、その目的とするところは、比較的簡単な構成で多様な真偽判定が可能であるとともに、センサー構成の分析が行われても真偽判定の仕組みが解りにくく、偽造防止耐性が高い前記偽造防止表示体、およびその検証装置を提供することである。
【課題を解決するための手段】
【００１０】
上述の課題を解決するために、請求項１に記載の発明は、可視光域の一部および近赤外光域を反射する基材上に、蛍光インキのパターンと有色インキのパターンをこの順に備えた偽造防止表示体であって、
前記蛍光インキは、紫外光域、可視光域、近赤外光域のいずれかの波長領域に少なくとも２つ以上の励起ピーク波長を持ち、
前記有色インキは、可視光域または近赤外光域の一部の波長の光を吸収し、それ以外の可視光域または近赤外光域の光を透過し、
前記有色インキが光を透過する可視光域または近赤外光域に、前記蛍光インキの少なくとも１つの励起ピーク波長が含まれることを特徴とする偽造防止表示体としたものである。ここで、前記紫外光域、前記可視光域、前記近赤外光域の波長は、それぞれ３８０ｎｍ以下、３８０〜７００ｎｍ、７００〜１５００ｎｍとする。
【００１１】
請求項２に記載の発明は、前記有色インキは、前記可視光域の全域の光を吸収し、かつ前記近赤外光域の一部の波長の光を吸収し、それ以外の近赤外光域の光を透過することを特徴とする請求項１に記載の偽造防止表示体としたものである。
【００１２】
請求項３に記載の発明は、前記有色インキは少なくとも２種類の異なる有色インキであり、
前記異なる有色インキのパターンは平面視で前記蛍光インキのパターン上での位置が異なり、
前記異なる有色インキがそれぞれ光を透過する可視光域または近赤外光域に、前記蛍光インキの異なる励起ピーク波長が含まれることを特徴とする請求項１、または２のいずれかに記載の偽造防止表示体としたものである。
【００１３】
請求項４に記載の発明は、前記異なる有色インキの目視における色は、略同じ色であることを特徴とする請求項３に記載の偽造防止表示体としたものである。ここで、略同じ色とは、Ｌ＊ａ＊ｂ＊表色系において、Ｌ＊値、ａ＊値、ｂ＊値の差ΔＬ＊、Δａ＊、Δｂ＊がいずれも３．２以下であることを意味する。ΔＬ＊、Δａ＊、Δｂ＊がいずれも３．２以下であると、色の離間比較で異なる色として認識できないレベルとなる。
【００１４】
請求項５に記載の発明は、前記蛍光インキのパターンの開口部に、さらに第２の有色インキと第２の蛍光インキをこの順に備えた偽造防止表示体であって、
前記第２の有色インキは、前記第２の蛍光インキの全ての励起ピーク波長の光を吸収することを特徴とする請求項１〜４のいずれか一項に記載の偽造防止表示体としたものである。
【００１５】
請求項６に記載の発明は、請求項１〜５のいずれか一項に記載の偽造防止表示体を検証するための装置であって、
少なくとも２種類の波長光源と、カメラと、画像モニターを具備し、
前記少なくとも２種類の波長光源は前記蛍光インキの少なくとも２つ以上の異なる励起ピーク波長の１つずつを含む波長光源であり、
前記少なくとも２種類の波長光源を切り替えて前記偽造防止表示体に照射する機能を備え、
前記カメラには透過波長域が異なる２種類の近赤外線ロングパスフィルターを切り替えて取り付ける機能を備え、
前記画像モニターは、前記偽造防止表示体に照射した前記少なくとも２種類の波長光源の光による反射光と前記蛍光インキからの発光光のいずれかまたは両方が前記異なる２種類の近赤外線ロングパスフィルターを通過した後の光を取り込み、画像を作成する機能を備えることを特徴とする偽造防止表示体検証装置としたものである。
【００１６】
請求項７に記載の発明は、請求項１〜５のいずれか一項に記載の偽造防止表示体を検証するための装置であって、
少なくとも２種類の波長光源と、カメラと、画像モニターを具備し、
前記少なくとも２種類の波長光源は前記蛍光インキの少なくとも２つ以上の異なる励起ピーク波長の１つずつを含む波長光源であり、
前記偽造防止表示体の検証部分を暗環境中に設置した状態で、前記少なくとも２種類の波長光源を切り替えて前記偽造防止表示体に照射する機能を備え、
前記画像モニターは、前記偽造防止表示体に照射した前記少なくとも２種類の波長光源の光による反射光と前記蛍光インキからの発光光のいずれかまたは両方を取り込み、画像を作成する機能を備えることを特徴とする偽造防止表示体検証装置としたものである。
【発明の効果】
【００１７】
本発明の偽造防止表示体を使用することで、比較的簡単な構成で多様な真偽判定が可能な偽造防止表示体が得られ、また本発明の検証装置を用いることで、センサー構成の分析が行われても真偽判定の仕組みが解りにくい偽造防止表示体となり、偽造防止耐性が向上する。
【図面の簡単な説明】
【００１８】
【図１】本発明の偽造防止表示体の一実施形態を示す（ａ）は概略平面図、（ｂ）は（ａ）のＸ−Ｘ線上の概略断面図。
【図２】本発明の偽造防止表示体を目視で見た場合を示す平面図。
【図３】本発明で使用している特殊有色インキの分光反射特性例。
【図４】本発明で使用している特殊蛍光インキの励起・発光特性例。
【図５】図３および図４を合体させた特性図。
【図６】本発明の偽造防止表示体検証装置の概略構成図。
【図７】図６の検証装置に設置する光学フィルターの透過特性例。
【図８】本発明の偽造防止表示体検証装置において第１の表示条件で見た場合の見え方。
【図９】本発明の偽造防止表示体検証装置において第２の表示条件で見た場合の見え方。
【図１０】本発明の偽造防止表示体検証装置において第３の表示条件で見た場合の見え方。
【図１１】本発明の偽造防止表示体検証装置において第４の表示条件で見た場合の見え方。
【発明を実施するための形態】
【００１９】
以下、本発明の偽造防止表示体および偽造防止表示体検証装置の実施形態例について詳細に説明する。尚、同一の構成要素については便宜上の理由がない限り同一の符号を付け、重複する説明は省略する。また、以下の説明で用いる図面は、特徴をわかりやすくするために、特徴となる部分を拡大して示している場合があり、各構成要素の寸法比率などは実際と同じではない。
【００２０】
本発明の偽造防止表示体１は、例えば図１（ａ）に示す様な印刷パターンで構成されている。図１（ａ）の偽造防止表示体は、目視で見た場合、図２の様な黒色の単純な円のパターンに見える。しかし例えば本発明の偽造防止表示体検証装置で見た場合は、図１（ａ）に示す様に、有色インキ部１３、特殊有色インキＡ部１４によるパターン１４ａ、特殊有色インキＢ部１５によるパターン１５ａ、特殊蛍光インキ部１６によるパターン１６ａを見ることができる。本発明の偽造防止表示体の実施形態によっては、特殊有色インキＢ部１５および／または特殊蛍光インキ部１６は存在しない場合もある。
【００２１】
本発明の偽造防止表示体１の断面図は図１（ｂ）の様になっている。可視光域の一部および近赤外光域を反射する反射性基材１１の上に、蛍光インキ２による蛍光インキ部１２のパターンが形成され、その上の一部には有色インキＡ（符号４）による有色インキＡ部１４のパターンが形成されている。また、図１（ｂ）の実施形態では、蛍光インキ部のパターンの別な一部（平面視で異なる位置）には有色インキＢ（符号５）による有色インキＢ部１５のパターンが形成されている。
【００２２】
さらに、図１（ｂ）の実施形態では、前記蛍光インキ部１２のパターンの開口部に、第２の有色インキ３による有色インキ部１３が形成され、その上の一部には第２の蛍光インキ６による蛍光インキ部１６のパターンが形成されている。ここで、第２の有色インキ３は、前記有色インキＡ、有色インキＢと同じものであってもよいが、第２の蛍光インキの全ての励起ピーク波長の光を吸収するものであることが、真贋判定画像の多様性を高めるために好ましい。また、第２の蛍光インキ６は、前記傾向インキ２と同じものであっても、異なるものであってもよい。
【００２３】
基材１１は、可視光から近赤外域まで反射する特性を持つ反射性基材であり、紙、プラスチック、木材、ガラスまたは樹脂などからなり、偽造防止媒体１の用途に応じてこれらから適宜選択される。
【００２４】
第２の有色インキ３、特殊有色インキＡ（符号４）、特殊有色インキＢ（符号５）の反射性基材上の分光反射特性例を図３に示す。これらの有色インキの分光反射特性２３、２４、２５は、可視光の短波長領域では光が吸収されいずれも反射光強度が低いが、分光反射特性２４、２５では、可視光の長波長領域〜近赤外光域（波長＝７００〜１５００ｎｍ）の異なる波長域以上で反射光強度が上昇している。これらの反射光は有色インキを透過した光の反射性基板での反射を反映したものであり、このように特定の波長域以上で透過性をもつという意味で、有色インキＡ、有色インキＢを、本明細書では特殊有色インキＡ、特殊有色インキＢと呼称する。また、第２の有色インキを単に有色インキと呼称する。
【００２５】
一方、特殊蛍光インキ２が励起されるときの励起特性２１は、図４に示す例のように、３つの励起ピーク波長２１ａ、２１ｂ、２１ｃを有している。これらのピーク波長の少なくとも１つの波長の光を照射することで、特殊蛍光インキの発光特性２２は、例えば図４に示す様になり近赤外光域で発光する。このように、紫外光域、可視光域、近赤外光域のいずれかの波長領域に少なくとも２つ以上の励起ピーク波長を持つ蛍光インキを、第２の蛍光インキを含め、本明細書では特殊蛍光インキと呼称する。
【００２６】
上記有色インキと特殊有色インキおよび特殊蛍光インキの特性を合わせたものが図５になるが、特殊有色インキＡ（符号４）の分光反射特性２４は特殊蛍光インキの１つの励起ピーク波長２１ａを吸収し、また特殊有色インキＢ（符号５）の分光反射特性２５は特殊蛍光インキの２つの励起ピーク波長２１ａ、２１ｂを吸収する。さらに、有色インキ３の分光反射特性２３に至っては特殊蛍光インキの全ての励起ピーク波長を吸収する。吸収される励起ピーク波長の光を照射しても発光は起こらないか非常に弱い発光となる。
【００２７】
本発明の偽造防止表示体検証装置は、前記の特性を利用して偽造防止表示体１の真贋を検証する装置である。図６に本発明の偽造防止表示体の検証装置の一構成例を示す。本発明の偽造防止表示体検証装置では、波長が異なる２種類の光源Ｓ（符号３５）、Ｔ（符号
３６）、カメラ３２、画像モニター３１を基本構成とする。図６の構成では、さらにカット波長が異なる２種類の光学フィルター（ロングパスフィルターＦ（符号３３）、Ｇ（符号３４））が設置されている。波長光源Ｓ、Ｔ（３５、３６）はそれぞれ図４に示す励起ピーク波長２１ｂ、および２１ｃを含むものである。また、フィルターＦ、Ｇ（３３、３４）は図７（ａ）、（ｂ）に示すＦ、Ｇの様に相当し、フィルターＦ（３３）は特殊有色インキＡ、特殊有色インキＢの反射特性２４、２５による反射光を透過させる特性を持ち、フィルターＧ（３４）はこれらの反射光を遮蔽し特殊蛍光インキの発光特性２２による発光光を透過させる特性を持つ。
【００２８】
前記２種類の光源と２種類のフィルターを組み合わせ、第１〜第４の表示条件とした時に見える見え方を図８〜図１１に示す。尚、モニター３１の画像で明るい部分は、反射性基材の反射光による部分、蛍光インキの発光による部分、またはそれらが重畳した部分であり、白く表示するので、以下明るい部分を一括して「白く見える」と表現する。
【００２９】
＜第１の表示条件＞
図８の様に励起ピーク波長２１ｂを含む波長光源Ｓ（３５）とロングパスフィルターＦ（３３）の組み合わせで見た場合は、特殊有色インキＡ（符号４。以下適宜図１（ｂ）参照）を透過した波長光源Ｓの光によって特殊蛍光インキ２が励起され発光し、白い星模様１４ａとなって見える。また、特殊蛍光インキ１２のみの部分も励起され発光し白く見えるが、基材１１部も反射性基材からの反射光によって白く見えるので、１２と１１の部分の境界は図示していない。逆に、波長光源Ｓの光は特殊有色インキＢ（符号５）では吸収されるため特殊有色インキＢ部１５は黒くなる。また、特殊蛍光インキ部１６では、特殊蛍光インキ６も励起され発光するが、特殊蛍光インキ６の下は有色インキ３であり反射性基材からの反射光による重畳がないため、透過波長域の広いロングパスフィルターＦ（３３）を通した画像ではコントラストが低く、白くならない。
【００３０】
＜第２の表示条件＞
図９の様に波長光源Ｓ（３５）とロングパスフィルターＧ（３４）の組み合わせで見た場合は、図８の場合と比較して、基材１１部の反射光はロングパスフィルターＧ（３４）によって遮蔽され、黒くなる。逆に、特殊蛍光インキ部１６では、特殊蛍光インキ６も励起され発光し、特殊蛍光インキ６の下は有色インキ３であり反射性基材からの反射光による重畳がないが、透過波長域の狭いロングパスフィルターＧ（３４）を通しているので、コントラストが高まり、白い星模様１６ａとなって見える。
【００３１】
＜第３の表示条件＞
図１０の様に励起ピーク波長２１ｃを含む波長光源Ｔ（３６）とロングパスフィルターＦ（３３）の組み合わせで見た場合は、特殊有色インキＡ（符号４）、および特殊有色インキＢ（符号５）を透過した波長光源Ｔの光によって特殊蛍光インキ２が励起され発光し、白い星模様１４ａ、および１５ａとなって見える。また、特殊蛍光インキ１２のみの部分も励起され発光し白く見えるが、基材１１部も反射性基材からの反射光によって白く見えるので、１２と１１の部分の境界は図示していない。また、特殊蛍光インキ部１６が白くならない理由は図８の場合と同様である。
【００３２】
＜第４の表示条件＞
図１１の様に波長光源Ｔ（３６）とロングパスフィルターＧ（３４）の組み合わせで見た場合は、図１０の場合と比較して、基材１１部が黒くなる理由、および特殊蛍光インキ部１６が白い星模様１６ａとなって見える理由は図９の場合と同様である。
【００３３】
以上のように本発明の偽造防止表示体および偽造防止表示体検証装置によれば、光源と光学フィルターの組み合わせによって様々に画像を変えることができるので、偽造耐性が
非常に高くなる。
【００３４】
また、本発明の偽造防止表示体検証装置の別な例として、光学フィルターを使用しない形態もある。偽造防止表示体の検証部分を暗環境中に設置する形態である。偽造防止表示体の検証部分を暗環境中に設置することでロングパスフィルターＦ（３３）を使用した場合と同じ効果が得られ、波長光源Ｓ（３５）または波長光源Ｔ（３６）を照射するだけで、それぞれ図８または図１０と同じ画像が得られる。
【００３５】
さらに特殊蛍光インキ部１２、１６による検証には残光特性を用いることもできる。蛍光インキは励起波長の照射を止めた後、数マイクロ秒から数ミリ秒間は発光が残る。この残光特性を利用することでロングパスフィルターＧ（３４）を使用しなくても特殊蛍光インキ部１２、１６を利用した検証が可能となる。
【実施例】
【００３６】
反射性基材１１としての８１．４ｇ／ｍ２の白色上質タック紙上に、下記［特殊蛍光インキの組成］からなる特殊蛍光インキをオフセット印刷法にてパターン状に印刷し特殊蛍光インキ部１２を形成した。その開口（スペース）部にプロセス墨インキをオフセット印刷法にてパターン状に印刷し有色インキ部１３を形成した。さらに前記特殊蛍光インキ部１２上の一部に、下記［特殊黒色インキの組成］からなる黒色インキをオフセット印刷法にて印刷し、特殊有色インキＡ部１４を形成した。
【００３７】
［特殊蛍光インキの組成］
特殊蛍光顔料（２４−２５Ａ：日立マクセル社製）                      ２０重量部
オフセットインキメジウム（ＦＤカルトンＸメジウム）                ８０重量部
【００３８】
［特殊黒色インキの組成］
黒色顔料（Ｃ．Ｉ．Ｐｉｇｍｅｎｔ  Ｂｌａｃｋ３１）                １５重量部  
オフセットインキメジウム（ＦＤカルトンＸメジウム）                ７５重量部
【００３９】
さらに、プロセスインキの黄・紅・藍の３色を混ぜ合わせることで作製した黒色インキを前記特殊蛍光インキ部１２上の残りの一部に印刷し特殊有色インキＢ部１５を形成した。最後に有色インキ部１３が形成されている部分の一部に、前記特殊蛍光インキ部１２を形成したときと同じ前記［特殊蛍光インキの組成］からなる特殊蛍光インキを印刷して特殊蛍光インキ部１６を形成し、本発明の偽造防止表示体１の構成を作製した。
【００４０】
上記のように作製した本発明の偽造防止表示体を、図６に示す構成を備えた本発明の偽造防止表示体検証装置に戴置し、波長光源Ｓ、ＴとロングパスフィルターＦ、Ｇを切り替えて４通りの組み合わせで画像モニターにて検証した結果、図８〜図１１の画像モニター３１に示した４種類の画像が得られ、偽造防止のための真贋判定が可能であることを確認した。
【符号の説明】
【００４１】
１          偽造防止表示体
１１        反射性基材
２          特殊蛍光インキ
１２        特殊蛍光インキ部
３          有色インキ
１３        有色インキ部
４        特殊有色インキＡ
１４        特殊有色インキＡ部
１４ａ      特殊有色インキＡ部によるパターン（本例では星模様）
５        特殊有色インキＢ
１５        特殊有色インキＢ部
１５ａ      特殊有色インキＢ部によるパターン（本例では星模様）
６        特殊蛍光インキ
１６        特殊蛍光インキ部
１６ａ      特殊蛍光インキ部によるパターン（本例では星模様）
２１        特殊蛍光インキの励起特性
２１ａ、２１ｂ、２１ｃ    励起ピーク波長
２２        特殊蛍光インキの発光特性
２３        有色インキの分光反射特性
２４        特殊有色インキＡの分光反射特性
２５        特殊有色インキＢの分光反射特性
３１        画像モニター
３２        カメラ
３３        ロングパスフィルターＦ
３４        ロングパスフィルターＧ
３５        波長光源Ｓ
３６        波長光源Ｔ
【図１】
2018012217.tif 000003
【図２】
2018012217.tif 000004
【図３】
2018012217.tif 000005
【図４】
2018012217.tif 000006
【図５】
2018012217.tif 000007
【図６】
2018012217.tif 000008
【図７】
2018012217.tif 000009
【図８】
2018012217.tif 000010
【図９】
2018012217.tif 000011
【図１０】
2018012217.tif 000012
【図１１】
2018012217.tif 000013